(57)【要約】      （修正有）【課題】外壁と内壁との間に断熱材を備え、該外壁に略コ字型ハンドルの両脚部を備える貯蔵庫扉において、貯蔵庫扉に汚れが付き難い上に、掃除もし易い衛生的な貯蔵庫扉のハンドル取付構造を提供する。【解決手段】外壁と内壁との間に断熱材を備え、該外壁に略コ字型ハンドルの両脚部を備える貯蔵庫扉において、該ハンドル後方の該外壁の外側面に備える外側面凹部を一体に形成し、該両脚部に固定部を備えるとともに、該固定部を該外側面凹部から離れた該外側面に備えることにより、ハンドルを外側面凹部を跨ぐように貯蔵庫扉に配置する。【選択図】図１
2006071279.tif 000002
【特許請求の範囲】
【請求項１】
外壁と内壁との間に断熱材を備え、該外壁に略コ字型ハンドルの両脚部を備える貯蔵庫扉において、該ハンドル後方の該外壁の外側面に備える外側面凹部を一体に形成し、該両脚部に固定部を備えるとともに、該固定部を該外側面凹部から離れた該外側面に備えることを特徴とする貯蔵庫扉。
【請求項２】
前記固定部を覆うカバー、または、キャップを備えることを特徴とする請求項１記載の貯蔵庫扉。
【請求項３】
前記固定部が、前記ハンドルの両脚部に備えたリブ、または、ねじ収納用凹部であることを特徴とする請求項１または2記載の貯蔵庫扉。
【発明の詳細な説明】
【技術分野】
【０００１】
本発明は、冷蔵庫、冷凍庫、冷却貯蔵庫等の貯蔵庫における扉の開閉用ハンドルの取付構造に関する。
【背景技術】
【０００２】
冷蔵庫等における扉ハンドルは、特開平３−２１７７８０号公報に例示されているように、凹部を形成したハンドルベースを扉前面の切欠部に嵌め込み、ハンドルベースの凹部を上下に跨ぐハンドル部材を、ねじによりハンドルベースと共に扉前面へ固定することにより、ハンドル部材が扉前面から前方へ突出する大きさを少なくするように構成されている。
【特許文献１】特開平３−２１７７８０号公報
【発明の開示】
【発明が解決しようとする課題】
【０００３】
上記従来の貯蔵庫扉のハンドル取付構造は、ハンドルベースが扉前面と別の部材で構成されていて、ハンドルベースの端縁と扉前面との間には必然的に段差や隙間が生じるので、この部分に汚れがつきやすい上に掃除もしにくく、食品等を取り扱う冷蔵庫では不衛生となりやすい問題があった。
そこで、本発明は、汚れが付き難い上に掃除もし易く、衛生的な貯蔵庫扉のハンドル取付構造を提供するものである。
【課題を解決するための手段】
【０００４】
上記課題を解決するため、本発明に係る請求項1の貯蔵庫扉は、外壁と内壁との間に断熱材を備え、該外壁に略コ字型ハンドルの両脚部を備える貯蔵庫扉において、該ハンドル後方の該外壁の外側面に備える外側面凹部を一体に形成し、該両脚部に固定部を備えるとともに、該固定部を該外側面凹部から離れた該外側面に備えることを特徴としている。
【０００５】
また、本発明に係る請求項2の貯蔵庫扉は、請求項１記載の貯蔵庫において、前記固定部を覆うカバー、または、キャップを備えることを特徴としている。
また、本発明に係る請求項3の貯蔵庫扉は、請求項１または2記載の貯蔵庫において、前記固定部が、前記ハンドルの両脚部に備えたリブ、または、ねじ収納用凹部であることを特徴としている。
【発明の効果】
【０００６】
本発明に係る請求項1の貯蔵庫扉は、外壁と内壁との間に断熱材を備え、該外壁に略コ字型ハンドルの両脚部を備える貯蔵庫扉において、該ハンドル後方の該外壁の外側面に備える外側面凹部を一体に形成し、該両脚部に固定部を備えるとともに、該固定部を該外側面凹部から離れた該外側面に備えることにより、ハンドルは外側面凹部を跨ぐように貯蔵庫扉に配置されるので、貯蔵庫扉に汚れが付き難い上に、掃除もし易くなる。
【０００７】
また、本発明に係る請求項2の貯蔵庫扉は、請求項１記載の貯蔵庫扉において、固定部を覆うカバー、または、キャップを備えることにより、貯蔵庫扉に汚れが付き難い上に、掃除もし易くなる。
また、本発明に係る請求項3の貯蔵庫扉は、請求項１または2記載の貯蔵庫において、固定部がハンドルの両脚部に備えたリブ、または、ねじ収納用凹部であることによって、リブを貫通したり、ねじ収納用凹部にねじをねじ込んで、ハンドルを貯蔵庫扉に配置されるので、貯蔵庫扉に汚れが付き難い上に、掃除もし易くなる。
【発明を実施するための最良の形態】
【０００８】
以下、図面に示す本発明の各実施形態例について、同等部分にはそれぞれ同一符号を付けて説明する。
【０００９】
図１において、冷蔵庫１の前面に、上下左右にそれぞれ分割された扉２がそれぞれ上下の枢支軸２´により回動自在に取り付けられ、各扉２は図２及び図３に例示されているように、ステンレス鋼板製外壁３と、樹脂製ドアパックからなる内壁４と、外壁３及び内壁４間に充填された発泡断熱材５とから構成され、各扉２の略コ字型ハンドル６は、図１に示されているように冷蔵庫１前面における上下左右の中央寄りに、例えば図１の上左方の扉２では、その扉２における外壁３の下右方辺部で上下へ延びるように配置されていて、各ハンドル６が冷蔵庫１前面の中央付近に集められている。
【００１０】
また、図２及び図３に例示されているように、ハンドル６は扉外壁３の外側面に形成された凹部７を上下に跨ぐように配置され、両脚部にそれぞれ形成されたリブ８が扉外壁３の平坦な外側面９に当てがわれて、ねじ１０がリブ８のねじ孔１１及び外側面９を貫通して外壁３内面の補強板１２へねじ込まれることにより、ハンドル６が扉外壁３に固定されており、補強板１２は扉外壁３の底部内面にも裏当てされている。さらに、リブ８と外側面９との間には、リブ８の外方を覆うカバー１３が取り付けられ、カバー１３の内面はねじ１０の頭部との間に隙間が形成されて、カバー１３の先端がハンドル６の外表面へ弾力的に当接している。
【００１１】
ここで、扉外壁３外側面における凹部７の液圧バルジ成形法につき説明する。図４において、基台２０における中央空所２１の上方を覆うように、コップ状のゴム膜２２が押さえ板２３により基台２０上ヘ取り付けられていると共に、下型２４内に収容されていて、中央空所２１及びゴム膜２２の内部により液室２５が形成され、液室２５は防錆剤等が入った水または油等の作動液２６で満たされている一方、上型２７の下面には、扉外壁３の外側面に形成された凹部７と同形状の凹所２８がゴム膜２２の上方に形成されている。
【００１２】
図５に示されているように、扉外壁３の平坦な素材３０は、扉２の正面を形成する四角形の中央部３１と、中央部３１の四辺に連続する短冊部３２とからなり、上記凹部７が形成されるべき中央部３１の部分が上型２７の凹所２８の下方へ正確に位置するように、素材３０が図４の如く下型２４上に配置される。
【００１３】
次に、図６のように、上型２７及び下型２４がプレスにより上下に重ね合わせて加圧され、素材３０が凹所２８の周囲平面で上型２７及び下型２４により適宜の圧力で挟持されると、素材３０の所定部分が上型２７の凹所２８へ正確に臨むこととなる。
【００１４】
その後、図７に示されているように、液室２５内の作動液２６に外部から高圧が供給されると、その液圧がゴム膜２２を介して素材３０に作用する結果、素材３０は凹所２８に沿うように塑性変形して凹部７が正確に成形されるので、液室２５内における作動液２６の圧力を除いて上型２７及び下型２４を上下に分離させ、取り出された素材３０の中央部３１から四辺の各短冊部３２を直角に折り込むことにより、扉外壁３を製造することができる。
【００１５】
この場合、図３に示されているように、平坦な外側面９と凹部７の上下端部とは、それぞれ扉２の外方に中心をおく半径Ｒが４０ｍｍ以上、好ましくは５０ｍｍ以上の弧面で縦断面が接続され、かつ、平坦な外側面９から凹部７の上下端部へはそれぞれ縦断面が鈍角となるように接続されている。
【００１６】
また、図２に例示されているように、凹部７は横幅Ｗがハンドル６の横幅ｗよりも大きく、かつ、ハンドル６よりも左右にそれぞれ幅広く形成されて、ハンドル６の操作を便利ならしめており、さらに、図２及び図３に示されているように図１の上左方の扉２では、ハンドル６より左方における凹部７の横幅Ｗ１が、ハンドル６より右方における凹部７の横幅Ｗ２よりも大きくなるように形成され、図１の上右方の扉２では凹部７が上記扉２と左右対称に形成されていると共に、図１の下方左右の扉２では凹部７が上記上方左右の扉２とそれぞれ上下対称に形成され、従って、各凹部７はそれぞれハンドル６を中心として、側方に隣接する他方の扉２側、すなわち、冷蔵庫１の中央側よりも、その他方の扉２側から離れた側、すなわち、冷蔵庫１の側面側へ幅広く形成されていることとなる。
【００１７】
上記装置においては、扉外壁３の外側面に直接形成された凹部７は横幅Ｗがそれぞれハンドル６の横幅ｗよりも大きく、かつ、ハンドル６よりも左右にそれぞれ幅広く形成されているが、ハンドル６から冷蔵庫１中央側の凹部７の横幅Ｗ２が、ハンドル６から反対側の凹部７の横幅Ｗ１よりも小さく、従って、各ハンドル６を冷蔵庫１前面の中央付近へ簡単に集中させることができるので、扉２が多くなっても使用者による各ハンドル６の取扱いが容易になると共に、冷蔵庫１前面の美観を向上させることができ、また、各ハンドル６が各扉２の枢支軸２´から水平方向へ遠ざかるため各扉２の開閉が比較的軽くなって、扉２の開閉操作が容易になる利点がある。
【００１８】
また、扉２の凹部７が液圧バルジ成形法により成形されていて、その成形時素材３０には加圧力が適度に分散して作用する結果、素材３０が比較的変形しにくいステンレス鋼板であっても、凹部７内はもちろんのこと、凹部７の周辺にも割れや歪みは発生しにくく、凹部７周辺の外面がきれいに保持されるので、凹部７の周囲にしわ押さえのためのビードを設ける必要がなく、従ってまた、成形後のトリミングが不要となって、素材３０から凹部７を成形後、素材３０の外面をそのまま扉外壁３の外面として使用することができ、扉外壁３の製造を容易化することが可能となる。
【００１９】
しかも、素材３０における中央部３１の四辺に短冊部３２が存在しているため、凹部７の成形時にはこの短冊部３２をも上型２７及び下型２４の押え代として利用することができるので、凹部７を中央部３１の隅部、すなわち、図５における素材３０の隣接する短冊部３２間の切欠き部に近い扉外壁３の隅部へ容易に近づけて成形することが可能となって、各ハンドル６を冷蔵庫１前面の中央付近へ簡単に集中させることができる利点がある。
【００２０】
さらに、扉外壁３の凹部７及びその周辺には歪みが少なくて、強度が比較的高いため、扉外壁３と内壁４との間に断熱材を発泡させる場合、従来は凹部７内にも発泡圧押え治具を裏当てして凹部７の変形を防止する必要があったが、このような凹部７内の発泡圧押え治具を不要とすることができて、扉外壁３側の発泡圧押え治具としては凹部７以外の外面を裏当てする平面的なものですむので、各扉２の製造コストを容易に低減させることができ、また、各扉２における凹部７の配置がそれぞれ異なっていても、扉外壁３側の発泡圧押え治具としては平面的なものを共通に使用できるため、この面からも各扉２の製造コストを低減させることができる。
【００２１】
また、素材３０から凹部７を成形する際、素材３０と作動液２６とはゴム膜２２により完全に仕切られていて、両者が接触することは全くないため、凹部７の成形後に素材３０から作動液２６を洗い流す必要がなく、従って、設備を大幅に簡略化できると同時に、作動液２６の目減りがなくてその補給量は少なくてすみ、かつ、作動液２６が空気に触れることを容易に防止して作動液２６の劣化を少なくすることができるので、作動液２６のメンテナンス上非常に有利となる。
【００２２】
さらに、ゴム膜２２がコップ状であるので、これが板状の場合と比較すると、凹部７の成形時にゴム膜２２が極端な変形をしないため、ゴム膜２２を使用して凹部７の成形加工を繰り返してもゴム膜２２に亀裂等の破損が生じにくくて、ゴム膜２２の寿命を格段に延長させることができると同時に、凹部７の周辺に型押えの歪みも発生しにくく、成形された扉２の商品性を容易に高めることができる大きな長所がある。
【００２３】
一方、冷蔵庫１の使用者は左方の扉２に対しては左手で、右方の扉２に対しては右手でそれぞれハンドル６を操作して開閉する傾向にあるが、その場合、手の分厚い甲側がそれぞれハンドル６の冷蔵庫１側面側、つまり、大きい横幅Ｗ１側から凹部７内へ挿入されることとなるので、凹部７をとくに大きくしなくても凹部７内へ手を容易に差し込むことができて、この面からも扉２の開閉操作が容易になるという特別な実用的効果がえられる。
【００２４】
また、扉２の外壁３に直接凹部７が形成されていて、外壁３と凹部７との間には段差や隙間が全くないため、この部分によごれは付着しにくく、かつ、掃除もしやすいので、凹部７の周辺を常に清潔に保つことができる。
【００２５】
さらに、平坦な外側面９と凹部７の上下端部とは、それぞれ扉２の外方に中心をおく半径Ｒが４０ｍｍ以上、好ましくは５０ｍｍ以上の弧面で縦断面が接続され、しかも、平坦な外側面９から凹部７の上下端部へはそれぞれ縦断面が鈍角となるように接続されていて、凹部７の下端部が下方へ大きく傾斜しているため、凹部７内に入った扉２の洗浄水は凹部７の下端部から速やかに流出して凹部７内にたまることがなく、また、埃等も凹部７の下端部内にたまりにくいので、凹部７内は常時清潔であり、従って、凹部７に手を挿入してハンドル６を握り、扉２を開閉してもその手が汚されるようなことはなく、冷蔵庫１を常に衛生的とすることができる。
【００２６】
また、凹部７が形成された扉外壁３の外側面をクリア塗装した場合、その塗料が凹部７内に溜まることもないため、その外側面全体に対して均一で美麗な塗装が可能となると同時に、扉外壁３及び内壁４間に発泡断熱材５が充填される際、凹部７の背面で発泡断熱材５が滞留することがなく、扉外壁３の内面全体に隅々まで発泡断熱材５を容易に充填させることができる利点がある。
【００２７】
さらに、平坦な外側面９と凹部７の上下端部とは半径Ｒが４０ｍｍ以上の弧面で縦断面が接続され、しかも、平坦な外側面９から凹部７の上下端部へはそれぞれ縦断面が鈍角となるように接続されていると共に、凹部７も必然的に比較的浅く形成されることとなるので、凹部７の成形加工時に凹部７に歪みが生じにくく、かつ、凹部７の背後に充填される発泡断熱材５の厚みが十分に大きくなり、従って、扉２に凹部７が形成されていても発泡断熱材５により確実に断熱作用を行わせることができて、扉２を比較的低コストで製作することが可能となる。
【００２８】
なお、平坦な外側面９と凹部７の上下端部とを半径Ｒが４０ｍｍ以上の弧面で接続し、かつ、平坦な外側面９から凹部７の上下端部へはそれぞれ縦断面が鈍角となるように接続すれば、ハンドル６を操作するため凹部７に手を差し込みやすくすることと、凹部７を比較的浅く形成できることとの兼ね合いが良好となるものである。
【００２９】
また、カバー１３がリブ８の外方を覆い、カバー１３の内面とねじ１０の頭部との間に隙間が形成されて、カバー１３の先端がハンドル６の外表面に当接しているため、扉２の洗浄水はカバー１３に遮られてねじ１０に直接ふりかかることはなく、仮に、上記洗浄水がカバー１３内に侵入するようなことがあっても、その水はカバー１３の内面を伝わって下方へ流れ、ねじ１０を濡らすことはないので、ねじ１０が錆びてその周辺を汚すようなことは確実に阻止することができる。しかも、補強板１２が扉外壁３の底部内面にも裏当てされているため、扉２の組立て時にねじ１０が補強板１２へねじ込まれても、扉外壁３の底部内面により補強板１２が傾くことは確実に制止され、従って、扉２の組立て作業が非常に楽になるという利点がある。
【００３０】
さらに、ハンドル６の上下端部であるリブ８がねじ１０により扉２に固定され、ねじ１０がカバー１３により覆われているため、ハンドル６に物等が当たってもカバー１３が外れてねじ１０が露出することはなく、従って、ハンドル６の取り付けがゆるんだり、扉２の外観が損なわれるような事態も容易に防止することができる長所がある。
【００３１】
図８〜図１５に示す上記樹脂製ハンドル６の変形例６´は、上記実施形態例の場合と同様に、貯蔵庫における扉外壁３の外側面に形成された凹部７を上下に跨ぐように配置されるものであり、ハンドル本体５０の上端部にはほぼ四角形の凹部５１が形成されて、その底部にねじ座５２が設けられ、ねじ座５２の通孔５３を通るねじ５４が扉外壁３にねじ込まれて、上記上端部が扉外壁３に取り付けられ、また、ハンドル本体５０の下端部にはほぼ円形の凹部５５が形成されて、その底部にねじ座５６が設けられ、ねじ座５６の通孔５７を通るねじ５８が扉外壁３にねじ込まれて、上記下端部が扉外壁３に取り付けられるように構成されている。
【００３２】
さらに、ねじ座５２に設けられた一対の略四角形通孔６０が凹部５１の両内側面へ角溝６１となって延びて、それらの上端が段付部６２を形成し、また、この場合と同様に、ねじ座５６に設けられた一対の略四角形通孔６３が凹部５５の両内側面へ角溝６４となって延びて、それらの上端が段付部６５を形成している。
【００３３】
樹脂製キャップ７０は、ハンドル本体５０の凹部５１に正面側（図９の右方）から弾力的に押し込まれて、凹部５１全体を正面側から上面側（図９の上方）にかけて覆い、左右一対の脚部７１の外側面がそれぞれ凹部５１の両内側面に沿っていて、キャップ７０の上記押し込み時における脚部７１のたわみにより、各脚部７１の外側面に設けられた突起７２が凹部５１における左右内側面の段付部６２とそれぞれ係合している。
【００３４】
また、樹脂製キャップ７３は、ハンドル本体５０の凹部５５に正面側（図９の右方）から弾力的に押し込まれて、凹部５５全体を正面側から覆い、各脚部７４の外側面がそれぞれ凹部５５の内周面に沿っていて、キャップ７０の場合と同様に、キャップ７３の上記押し込み時における左右一対の脚部７４のたわみにより、その両脚部７４の外側面に設けられた突起７５が凹部５５内側面の段付部６５と係合している。
【００３５】
従って、この変形例においても、上記実施形態例の場合と同等の作用効果を奏することができる外、ハンドル本体５０を扉外壁３に取り付ける上下ねじ５４、５８がそれぞれキャップ７０、７３により目隠しされ、かつ、各キャップ７０、７３がそれぞれハンドル本体５０の表面から突出することなくハンドル本体５０内に埋め込まれ、ハンドル６´全体として滑らかな外形をしているので、ハンドル６´自体の外観は非常にスマートで美しくなり、従って、前面全体がほぼ平面的で特に飾りのない冷蔵庫１の前面中央付近にこれらのハンドル６´が集中的に配置されると、冷蔵庫１としてのデザインを格段に向上させることができるので、冷蔵庫１の商品的価値を容易に高めることができる。
【００３６】
また、各キャップ７０、７３はハンドル本体５０内に埋め込まれて、それらの外面が冷蔵庫１の正面側に向いているので、押し込み方向の正面側から何らかの力が作用しても各キャップ７０、７３の外れることがないのは勿論のこと、他の方向から力が作用しても各キャップ７０、７３は外れにくくい長所がある。
【００３７】
なお、上記各実施形態例は上下左右に分割された４個の扉をそなえた冷蔵庫に関するものであるが、扉を左右もしくは上下の２個のみとしても、また、冷凍庫、冷却貯蔵庫等の貯蔵庫にもそれぞれ同様に本発明を適用することができて、それぞれ同様な作用効果を奏することができるのはいうまでもなく、さらに、テーブル型貯蔵庫のように、扉のハンドルが横向きに設けられている場合にも、本発明を適用することにより上記実施形態例と同様な作用効果を奏することができるものである。
【図面の簡単な説明】
【００３８】
【図１】本発明の実施形態例における概略正面図
【図２】図１のII部拡大図
【図３】図２の III−III 矢視断面図
【図４】本発明の実施形態例に使用する装置の要部断面図
【図５】本発明の実施形態例に使用する要部素材の正面図
【図６】図４の装置の作用説明図
【図７】図４の装置の作用説明図
【図８】図１の実施形態例における要部変形正面図
【図９】図８のIX−IX矢視断面図
【図１０】図９のＸ−Ｘ断面拡大図
【図１１】図９の一部正面拡大図
【図１２】図１１の部品斜視図
【図１３】図９の一部縦断面拡大図
【図１４】図１３の部品底面図
【図１５】図１３の部品斜視図
【符号の説明】
【００３９】
１ 冷蔵庫
２ 扉
３ 外壁
４ 内壁
５ 発泡断熱材
６、６´ ハンドル
７ 凹部（外側面凹部）
8  リブ（固定部）
１０ ねじ
１３ カバー
２２ ゴム膜
２４ 下型
２５ 液室
２６ 作動液
２７ 上型
２８ 凹所
３０ 素材
５０ ハンドル本体
５１、５５凹部（固定部、または、ねじ収納用凹部）
５４、５８ ねじ
６２、６５ 段付部
７０、７３ キャップ
７２、７５ 突起
【図１】
2006071279.tif 000003
【図２】
2006071279.tif 000004
【図３】
2006071279.tif 000005
【図４】
2006071279.tif 000006
【図５】
2006071279.tif 000007
【図６】
2006071279.tif 000008
【図７】
2006071279.tif 000009
【図８】
2006071279.tif 000010
【図９】
2006071279.tif 000011
【図１０】
2006071279.tif 000012
【図１１】
2006071279.tif 000013
【図１２】
2006071279.tif 000014
【図１３】
2006071279.tif 000015
【図１４】
2006071279.tif 000016
【図１５】
2006071279.tif 000017